(57)【特許請求の範囲】
【請求項１】
被制御装置で実行される遠隔接続過程モニタリング方法であって、
ダウンロードされた接続ファイルを実行するステップと、
前記接続ファイルの実行を通じて遠隔接続のためのアプリケーションを行い、前記アプリケーションが実行されると同時に遠隔接続する過程を示す端末機のインターフェース画面全体を既設定された周期でキャプチャーするステップと、
前記キャプチャーした画面及び前記被制御装置を識別することができる識別情報をＨＴＴＰ(ｈｙｐｅｒｔｅｘｔ ｔｒａｎｓｆｅｒ ｐｒｏｔｏｃｏｌ)を通じてウェブサーバに伝送するステップと、を含むことを特徴とする遠隔接続過程モニタリング方法。
【請求項２】
前記ＨＴＴＰを通じてウェブサーバに伝送するステップは、制御装置との遠隔接続が完了される場合、前記キャプチャーした画面及び前記被制御装置を識別することができる識別情報を、ＨＴＴＰを通じてウェブサーバに伝送することを中断することを特徴とする請求項１に記載の遠隔接続過程モニタリング方法。
【請求項３】
制御装置で実行される遠隔接続過程モニタリング方法であって、
ゲートウェイに接続して被制御端末との遠隔接続を待機するステップと、
前記遠隔接続を待機する間特定装置の識別情報をウェブサーバに伝送して前記識別情報に対応する被制御装置のキャプチャー画面を要請するステップと、
前記ウェブサーバから前記キャプチャー画面を受信し、受信したキャプチャー画面を表示するステップと、を含むことを特徴とする遠隔接続過程モニタリング方法。
【請求項４】
前記キャプチャー画面は、前記被制御装置との遠隔接続が完了される以前までの過程を既設定された周期でスクリーンキャプチャーを通じてキャプチャーした前記被制御装置のインターフェース画面であることを特徴とする請求項３に記載の遠隔接続過程モニタリング方法。
【請求項５】
被制御装置であって、
ダウンロードした接続ファイルを行い、前記接続ファイルの実行を通じて制御装置との遠隔接続のためのネットワーク認証及び遠隔接続モジュールのダウンロード状況の中で少なくとも一つの過程を示す前記被制御装置のインターフェース画面全体を既設定された周期でキャプチャーする処理部と、
前記処理部の制御に基づいて前記キャプチャーした画面及び前記被制御装置を識別することができる識別子をＨＴＴＰ(ｈｙｐｅｒｔｅｘｔ ｔｒａｎｓｆｅｒ ｐｒｏｔｏｃｏｌ)を通じてウェブサーバに伝送する通信部と、を含むことを特徴とする被制御装置。
【請求項６】
前記処理部は、制御装置との遠隔接続が完了された場合、前記キャプチャーした画面及び前記被制御装置を識別することができる識別子を、ＨＴＴＰを通じてウェブサーバに伝送することを中断することを特徴とする請求項５に記載の被制御装置。
【発明の詳細な説明】
【技術分野】
【０００１】
本発明は、遠隔支援技術に関し、より詳細には、遠隔接続過程をモニタリングすることができる遠隔接続過程モニタリング方法及び遠隔接続過程モニタリングシステムに関する。
【背景技術】
【０００２】
ＰＣ(Ｐｅｒｓｏｎａｌ Ｃｏｍｐｕｔｅｒ)遠隔制御は、地域的に遠く離れているか分散されているＰＣを遠隔地で接続して制御する技術として、ユーザのＰＣを、インターネットを介して遠隔で使うようにすることで、インターネットに連結されているコンピュータを通じて遠く離れているユーザのＰＣのすべての機能を、画面を見ながらそのまま使うことができる技術である。
【０００３】
このような便利性のため、現在、遠隔制御は企業ユーザを越えて個人ユーザにまで広く普及されて来ており、単純に企業でユーザＰＣを監視し管理する次元を脱して個人ユーザも家で会社、または会社で家に遠隔制御ツールを利用して自分のＰＣを制御する場合が増えている。
【０００４】
一方、管理者がユーザ端末を遠隔で制御するためには、ユーザの端末で遠隔接続のためのプログラムを実行させて遠隔接続を完了しなければならない。
【発明の概要】
【発明が解決しようとする課題】
【０００５】
しかし、管理者は、ユーザの端末が遠隔接続のための接続ファイルを実行させる過程のうちファイアウォール(Ｆｉｒｅ Ｗａｌｌ)などにより接続ファイル実行に失敗する場合、どのような理由により遠隔接続に失敗したか判断することができない問題点がある。
【０００６】
したがって、本発明は上述したような従来技術の問題点を解決するためになされたもので、その目的は、ユーザの遠隔接続過程をモニタリングすることで、遠隔制御業務の効率性を向上させることができる遠隔接続過程モニタリング方法を提供することにある。
【０００７】
また、本発明の他の目的は、前記遠隔接続過程モニタリング方法を実行する遠隔接続過程モニタリングシステムを提供することにある。
【課題を解決するための手段】
【０００８】
上記目的を達成するための本発明の一実施形態による遠隔接続過程モニタリング方法によれば、被制御装置で実行される遠隔接続過程モニタリング方法であって、ダウンロードされた接続ファイルを実行するステップと、前記接続ファイルの実行を通じて遠隔接続のためのアプリケーションを行い、前記アプリケーションが実行されると同時に連結される過程を示す実行中の端末機のインターフェース画面全体を既設定された周期でキャプチャーするステップと、前記キャプチャーした画面及び前記被制御装置を識別することができる識別情報をＨＴＴＰ(ｈｙｐｅｒｔｅｘｔ ｔｒａｎｓｆｅｒ ｐｒｏｔｏｃｏｌ)を通じてウェブサーバに伝送するステップと、を含む。
【０００９】
ここで、前記ＨＴＴＰを通じてウェブサーバに伝送するステップは、制御装置と遠隔接続が完了される場合、前記キャプチャーした画面及び前記被制御装置を識別することができる識別情報を、ＨＴＴＰを通じてウェブサーバに伝送することを中断することができる。
【００１０】
また、本発明の他の目的を達成するための本発明の一実施形態による遠隔接続過程モニタリング方法によれば、制御装置で実行される遠隔接続過程モニタリング方法であって、ゲートウェイに接続して被制御端末との遠隔連結を待機するステップと、前記遠隔連結を待機する間特定装置の識別情報をウェブサーバに伝送して前記識別情報に対応する被制御装置のキャプチャー画面を要請するステップと、前記ウェブサーバから前記キャプチャー画面を受信して受信したキャプチャー画面を表示するステップと、を含む。
【００１１】
ここで、前記キャプチャー画面は、前記被制御装置との遠隔接続が完了される以前までの過程を既設定された周期でスクリーンキャプチャーを通じてキャプチャーした前記被制御装置のインターフェース画面である。
【００１２】
また、本発明のまた他の目的を達成するための本発明の一実施形態による被制御装置によれば、被制御装置であって、ダウンロードした接続ファイルを行い、前記接続ファイルの実行を通じて制御装置との遠隔接続のためのネットワーク認証及び遠隔接続モジュールのダウンロード状況の中で少なくとも一つの過程を示す前記被制御装置のインターフェース画面全体を既設定された周期でキャプチャーする処理部と、前記処理部の制御に基づいて前記キャプチャーした画面及び前記被制御装置を識別することができる識別子をＨＴＴＰを通じてウェブサーバに伝送する通信部と、を含む。
【００１３】
ここで、前記処理部は、制御装置との遠隔接続が完了された場合、前記キャプチャーした画面及び前記被制御装置を識別することができる識別子を、ＨＴＴＰを通じてウェブサーバに伝送することを中断することができる。
【発明の効果】
【００１４】
上述のような本発明の一実施形態による遠隔接続過程モニタリング方法及び遠隔接続過程モニタリングシステムによれば、ユーザ端末は、遠隔接続のための接続ファイルの行時、ユーザ端末の画面をキャプチャーしてＨＴＴＰを通じてウェブサーバに伝送し、管理者端末は、ウェブサーバから遠隔接続のための接続ファイル実行過程をキャプチャーした画面を実時間でダウンロードして確認することができる。
【００１５】
したがって、管理者は、管理者端末を通じてユーザ端末の遠隔接続過程をキャプチャーされた画面に基づいて継続モニタリングすることができるので、遠隔接続が完了されなかった状況でも遠隔接続が完了されことのようにユーザ端末の画面を確認することができる効果がある。
【図面の簡単な説明】
【００１６】
【図１】図１は、本発明の一実施形態による遠隔接続過程モニタリングシステムを示す概念図である。
【図２】図２は、本発明の一実施形態による遠隔接続過程モニタリング方法を示すフローチャートである。
【図３】図３は、図２に示された管理者端末の認証実行後の状況を示す管理者インターフェース画面である。
【図４】図４は、図２に示された管理者端末に表示されるユーザ端末のキャプチャー画面である。
【図５】図５は、図２に示された管理者端末に表示される接続ファイル実行完了後のユーザ端末の画面である。
【図６】図６は、図２に示されたユーザ端末の接続ファイルを実行する前の過程を示すユーザインターフェース画面である。
【図７】図７は、図２に示されたユーザ端末の接続ファイル実行時のキャプチャー画面を示すユーザインターフェース画面である。
【図８】図８は、図２に示されたユーザ端末の接続ファイル実行完了後のユーザインターフェース画面である。
【図９】図９は、本発明の一実施形態による管理者端末の遠隔接続過程モニタリング方法を示すフローチャートである。
【図１０】図１０は、本発明の一実施形態によるユーザ端末の遠隔接続過程モニタリング方法を示すフローチャートである。
【図１１】図１１は、本発明の一実施形態によるユーザ端末の構成を示すブロック図である。
【発明を実施するための形態】
【００１７】
本発明は、多様に変更可能であり、さまざまな実施形態を有することができる。ここでは、特定の実施形態を図面に例示して詳細に説明する。
【００１８】
しかし、これは本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【００１９】
第１、第２などの用語は、多様な構成要素を説明するために使うことができ、前記構成要素は前記用語により限定されるものではない。前記用語は、その構成要素を他の構成要素と区別するためのものである。例えば、本発明の権利範囲を脱しない範囲内で、第１の構成要素は、第２の構成要素と命名することができ、類似に第２の構成要素も第１の構成要素と命名することができる。『及び/または』という用語は、複数の関連された記載項目の組み合わせまたは複数の関連された記載項目の中でいずれの項目を含む。
【００２０】
ある構成要素が他の構成要素に『連結』または『接続』されると記載した場合、その構成要素はその他の構成要素に直接的に連結されるか、または接続されることができ、各構成要素の間にまた他の構成要素が『連結』または『接続』されることもできると理解しなければならない。一方、ある構成要素にほかの構成要素が『直接連結』または『直接接続』されると記載した場合には、各構成要素の間にまた他の構成要素が存在しないことに理解する。
【００２１】
本明細書で使用した用語は、但し、特定の実施形態を説明するために使用されたもので、本発明はこれに限定されるものではない。単数の表現は、文脈上明示しない限り複数の表現を含む。本出願において、「含む」または「有する」などの用語は、明細書上に記載された特徴、数字、ステップ、動作、構成要素、部品またはこれらを組み合わせたものが存在することを指定するもので、一つまたはその以上の他の特徴や数字、ステップ、動作、構成要素、部品またはこれらを組み合わせたものなどの存在または付加可能性をあらかじめ排除しないことに理解されるはずである。
【００２２】
特定しない限り、技術的や科学的な用語を含んでここで使用されるすべての用語は、本発明が属する技術分野で通常の知識を有した者が一般的に理解できるものと同等の意味を有している。一般的に使用される辞典に定義されている用語は、関連技術の文脈上の意味と一致する意味を有するものと解釈し、本出願において明白に定義しない限り、理想的や過度に形式的な意味に解釈されない。
【００２３】
以下、添付した図面を参照して本発明の好ましい実施形態について詳細に説明する。以下、図面上の同一な構成要素に対しては同一な参照符号を付与し、その重複説明は省略する。
【００２４】
以下、本発明の一実施形態で管理者端末１００及びユーザ端末２００は、デスクトップコンピュータだけではなくノートブックコンピュータ、パームトップ(ｐａｌｍｔｏｐ)コンピュータ、ＵＭＰＣ(ＵｌｔｒａＭｏｂｉｌｅ Ｐｅｒｓｏｎａｌ Ｃｏｍｐｕｔｅｒ)、タブレットＰＣ、個人携帯情報端末(ＰＤＡ：Ｐｅｒｓｏｎａｌ Ｄｉｇｉｔａｌ Ａｓｓｉｓｔａｎｔ)、ウェブパッド、携帯電話、スマトホンなどの多様なデジタル情報処理装置を含む。
【００２５】
図１は、本発明の一実施形態による遠隔接続過程モニタリングシステムを示す概念図である。
【００２６】
図１を参照すれば、本発明の一実施形態による遠隔接続過程モニタリングシステムは、管理者端末１００と、ユーザ端末２００と、認証サーバ３００と、ウェブサーバ４００と、を含む。
【００２７】
まず、管理者端末１００は、認証サーバ３００を通じて認証を完了し、認証サーバ３００またはウェブサーバ４００からユーザ端末２００とお互いに識別可能な識別子を受けた後、ユーザ端末２００との連結を待機する。
【００２８】
また、管理者端末１００は、付与された識別子に相応するユーザ端末２００の接続ファイル実行過程をキャプチャーしたキャプチャーファイルをウェブサーバ４００に要請し、ウェブサーバ４００からユーザ端末２００の接続ファイル実行過程をキャプチャーしたキャプチャーファイルを実時間で受信する。
【００２９】
ユーザ端末２００は、ユーザ入力に基づいて認証サーバ３００に接続して識別情報(例えば、ユーザー名、接続番号など)を入力した後、認証サーバ３００から管理者端末１００に付与した識別子と同一な識別子を受ける。
【００３０】
また、ユーザ端末２００は、ユーザの制御に基づいて認証サーバ３００から接続ファイルをダウンロードし、ダウンロードした接続ファイルを実行する。
【００３１】
また、ユーザ端末２００は、認証サーバ３００から接続ファイルをダウンロードし、ダウンロードした接続ファイルの実行を通じて遠隔接続のためのアプリケーションを設置する。
【００３２】
ここで、遠隔接続のためのアプリケーションの設置は、遠隔接続前の遠隔接続のために必要な過程(例えば、ネットワーク認証、遠隔接続モジュールダウンロード及び実行)を含む。
【００３３】
また、ユーザ端末２００は、遠隔接続のためのアプリケーションが設置されると同時に遠隔連結する過程を示すユーザインターフェース画面をキャプチャーし、前記認証サーバ３００から受けた識別子を区分子としてキャプチャーした画面をＨＴＴＰを通じてウェブサーバ４００に伝送する。
【００３４】
本発明の一実施形態では、接続ファイルの実行を通じて管理者端末１００との接続過程を示すユーザインターフェース画面をキャプチャーし、キャプチャーした画面をウェブサーバ４００に伝送することで説明したが、本発明の他の実施形態では、接続ファイルの実行を通じて管理者端末１００との接続過程を示す他の形態の情報を獲得し、獲得した他の形態の情報をウェブサーバ４００に伝送してもよい。
【００３５】
認証サーバ３００は、管理者端末１００から受信されたＩＤ及びパスワードが既保存されたＩＤ及びパスワードと対応する場合、ユーザに提供するＵＲＬ(Ｕｎｉｖｅｒｓａｌ Ｒｅｓｏｕｒｃｅ Ｌｏｃａｔｏｒ)及び接続番号と、ユーザ端末２００と連結を実行するゲートウェイサーバ(図示せず)のＩＰアドレス及びポート情報を管理者端末１００に伝送する。
【００３６】
また、認証サーバ３００は、ユーザ端末２００から受信された接続番号が既保存された名前及び接続番号と対応する場合、認証が完了されたことで判断し、接続ファイル及び管理者端末１００とデータを送受信することができるゲートウェイサーバ(図示せず)のセッション情報(ＩＰアドレス、ポート情報など)をユーザ端末２００に伝送する。
【００３７】
ここで、ユーザ端末２００は、接続ファイルの実行を通じて遠隔接続関連モジュールをダウンロード及び設置し、遠隔接続完了の前に実際に遠隔モジュールの実行(ネットワーク認証などのような連結環境点検)を行うことができる。また、ユーザ端末２００は、接続ファイルの実行後から遠隔接続関連モジュールをダウンロード及び設置して遠隔接続完了の前に実際遠隔モジュールを実行するまでの過程を、スクリーンキャプチャーして圧縮した後、ＨＴＴＰを通じてウェブサーバ４００に伝送する。
【００３８】
ウェブサーバ４００は、ユーザ端末２００から識別子及び接続ファイル実行過程をキャプチャーしたキャプチャーファイルを受信して保存し、管理者端末１００から前記識別子と対応する識別子が受信される場合、前記識別子に対応するユーザ端末２００のキャプチャーファイルを管理者端末１００に伝送する。
【００３９】
ここで、ウェブサーバ４００は、ＨＴＴＰを通じてユーザ端末２００からキャプチャーファイルを受信することができる。また、ウェブサーバ４００は、管理者端末１００とユーザ端末２００のデータ送受信を中継するゲートウェイサーバ(図示せず)に含まれてもよい。
【００４０】
したがって、本発明の一実施形態による遠隔接続過程モニタリングシステムによれば、管理者は、ユーザ端末がファイアウォール５００により接続ファイル実行による遠隔連結に失敗する場合、遠隔連結が完了される前にもキャプチャー画面を通じて現在ユーザ端末２００の状態をモニタリングすることができる効果がある。
【００４１】
図２は、本発明の一実施形態による遠隔接続過程モニタリング方法を示すフローチャートである。図３乃至図５は、図２に示された管理者端末の管理者インターフェース画面を示す。図６乃至図８は、図２に示されたユーザ端末のユーザインターフェース画面を示す。
【００４２】
図２乃至図８を参照すれば、管理者端末１００は、遠隔制御プログラムを実行し、管理者の入力信号に基づいて認証サーバ２００に管理者識別情報(例えば、ＩＤ、パスワードなど)を提供する(ステップＳ２１０)。
【００４３】
認証サーバ３００は、管理者端末１００から入力された管理者識別情報が既保存された識別情報と対応する場合、ユーザに案内するＵＲＬ及び接続番号と、ユーザ端末２００との連結のためのゲートウェイサーバ(図示せず)のＩＰアドレス及びポート情報と、を管理者端末１００に伝送する(ステップＳ２２０)。
【００４４】
認証サーバ３００によりステップＳ２２０が実行される場合、図３に示したように、ユーザに案内するＵＲＬ及び接続番号を管理者端末のインターフェースを通じて確認することができ、ユーザ端末の接続有無も管理者端末のインターフェースを通じて確認することができる。
【００４５】
ユーザ端末２００は、ユーザの入力信号に基づいて認証サーバ３００に接続し、認証サーバ３００にユーザ識別情報(例えば、ユーザ名、接続番号など)を提供する(ステップＳ２３０)。
【００４６】
以後、認証サーバ３００は、ユーザ端末２００から入力されたユーザ識別情報が既保存された識別情報と対応する場合、ユーザ端末２００と管理者端末１００との間の認証が完了されたことで判断する。
【００４７】
また、認証サーバ３００は、認証が完了されたことで判断されると、接続ファイル及び管理者端末１００とデータを送受信するゲートウェイサーバのセッション情報(ＩＰアドレス、ポート情報など)をユーザ端末２００に伝送する(ステップＳ２４０)。
【００４８】
ここで、ユーザ端末２００は、接続ファイルの実行を通じて遠隔接続関連モジュールをダウンロード及び設置し、遠隔接続完了の前に実際遠隔モジュールの実行(ネットワーク認証などのような連結環境点検)を行うことができる。また、ユーザ端末２００は、接続ファイルの実行後から遠隔接続関連モジュールをダウンロード及び設置して遠隔接続完了の前に実際遠隔モジュールを実行するまでの過程を、スクリーンキャプチャーして圧縮した後(ステップＳ２５０)、圧縮したキャプチャーファイル及びユーザ端末２００の識別情報を、ＨＴＴＰを通じてウェブサーバ４００に伝送する。
【００４９】
図６を参照すれば、ユーザ端末のインターフェース画面は、認証サーバ３００に接続するためのユーザ名(ｙｏｕｒ ｎａｍｅ)及び接続番号(ｃｏｎｎｅｃｔｉｏｎｃｏｄｅ)を入力できる画面と、接続ファイルのダウンロード及び実行可否をユーザに問う画面インターフェースを示す。
【００５０】
ユーザ端末２００は、ユーザ入力信号に基づいて接続ファイルをダウンロードして行い、接続ファイル実行過程をキャプチャーしてキャプチャー画面とユーザ端末２００の識別情報(例えば、接続番号)をウェブサーバ４００に伝送する(ステップＳ２６０)。
【００５１】
図７を参照すれば、ユーザ端末２００は、接続ファイルの実行を通じて管理者端末１００との遠隔接続のための接続準備過程を進行し、接続準備過程を示すユーザインターフェース画面をスクリーンキャプチャーして圧縮した後にＨＴＴＰを通じて伝送する。
【００５２】
管理者端末１００は、ユーザ端末２００の識別情報をウェブサーバ４００に伝送してユーザ端末２００の識別情報と対応するキャプチャー画面をウェブサーバ４００に要請し(ステップＳ２７０)、ウェブサーバ４００からキャプチャー画面を受信して管理者インターフェース画面にディスプレーする(ステップＳ２８０)。
【００５３】
図４を参照すれば、管理者端末１００のインターフェース画面にユーザ端末で実行されている接続ファイル実行過程をキャプチャーしたキャプチャー画面がディスプレーされている。図４に示したように、管理者は、遠隔接続が完了される前にも管理者端末１００を通じてユーザ端末１００の遠隔接続のためのファイルダウンロード及び設置過程を確認することができる。
【００５４】
図５及び図８を参照すれば、ユーザ端末２００に接続ファイルの設置が完了された後の管理者端末１００とユーザ端末２００各々のインターフェース画面を示す。すなわち、管理者端末１００のインターフェース画面には、ユーザ端末２００の画面がディスプレーされる。
【００５５】
ここで、図３乃至図８は、本発明の一実施形態による遠隔接続過程を実行した例示であるだけで、図３乃至図８の方法に本発明が限定されるものではない。
【００５６】
図９は、本発明の一実施形態による管理者端末の遠隔接続過程モニタリング方法を示すフローチャートである。
【００５７】
図９を参照すれば、管理者端末は、既設置されたプログラムが実行されると、管理者識別情報を認証サーバに伝送して認証を実行し、ユーザ端末の接続を待機する(ステップＳ９１０)。
【００５８】
ここで、管理者識別情報は、前記認証サーバに既保存された管理者ＩＤ、パスワードなどであり、認証が完了される場合、管理者端末は、認証サーバからユーザに案内するＵＲＬ、接続番号とセッション情報(例えば、ＩＰアドレス、ポート情報)を受信する。
【００５９】
以後、管理者端末は、ウェブサーバでユーザ端末の識別情報を伝送して前記ユーザ端末の識別情報に相応するキャプチャー画面を要請し(ステップＳ９２０)、前記ウェブサーバからユーザ端末の識別情報に相応するキャプチャー画面を受信する(ステップＳ９３０)。
【００６０】
ここで、ウェブサーバからのキャプチャー画面受信は、ユーザ端末での接続ファイル実行過程が終了されるまで続くことができる。
【００６１】
以後、管理者端末は、ステップＳ９３０を通じてウェブサーバから受信したキャプチャー画面を管理者が確認できる画面インターフェースにディスプレーする(ステップＳ９４０)。
【００６２】
したがって、本発明の一実施形態よる遠隔接続過程モニタリング方法によれば、遠隔接続が完了される前にも遠隔接続のための接続ファイルの実行過程をキャプチャー画面を通じて管理者が確認することができる効果がある。
【００６３】
図１０は、本発明の一実施形態によるユーザ端末の遠隔接続過程モニタリング方法を示すフローチャートである。
【００６４】
以下、本発明の一実施形態において、ユーザ端末は、ユーザの入力信号に基づいて認証サーバに接続してユーザ識別情報(例えば、ＩＤ、名前、接続番号など)を入力したことで仮定して説明する。
【００６５】
図１０を参照すれば、ユーザ端末は、認証サーバから提供される接続ファイルが実行されるか否かを判断する(ステップＳ１０１０)。
【００６６】
ユーザ端末は、ステップＳ１０１０を通じて接続ファイルが実行されることで判断されると、既設定された周期ごとに遠隔接続のためのファイル実行過程を示す画面インターフェースをスクリーンキャプチャーする(ステップＳ１０２０)。
【００６７】
ここで、ユーザ端末は、接続ファイルの実行を通じて遠隔接続関連モジュールをダウンロード及び設置し、遠隔接続完了の前に実際遠隔モジュールの実行(ネットワーク認証などのような連結環境点検)を行うことができる。また、ユーザ端末は、接続ファイルの実行後から遠隔接続関連モジュールをダウンロード及び設置して遠隔接続完了の前に実際遠隔モジュールを実行するまでの過程をスクリーンキャプチャーすることができる。また、ここで、既設定された周期は管理者が設定することができる。
【００６８】
ユーザ端末は、ステップＳ１０２０でキャプチャーされた画面を圧縮してユーザ端末の識別情報とともにウェブサーバに伝送する(ステップＳ１０３０)。すなわち、ユーザ端末は、ステップＳ１０２０を通じて遠隔接続のためのファイル実行過程が既設定された周期でキャプチャーされる時ごとにキャプチャーされた画面を圧縮してユーザ端末の識別情報とともにウェブサーバに伝送する。
【００６９】
図１１は、本発明の一実施形態によるユーザ端末の構成を示すブロック図である。
【００７０】
図１１を参照すれば、本発明の一実施形態によるユーザ端末は、処理部２１０及び通信部２２０を含むことができる。
【００７１】
処理部２１０は、ユーザの入力信号に基づいて認証サーバに接続してユーザ識別情報を伝送する。
【００７２】
ここで、ユーザ識別情報は、ユーザＩＤ、名前、接続番号などを含むことができる。
【００７３】
処理部２１０は、前記ユーザ識別情報を認証サーバに伝送した後、接続ファイルが実行されるか否かを判断し、認証サーバから受信される接続ファイルが実行されることで判断されると、接続ファイルを利用して既設定された周期ごとに遠隔接続のためのファイル実行過程を示す画面インターフェースをキャプチャーする。ここで、既設定された周期は管理者が設定することができる。
【００７４】
また、処理部２１０は、キャプチャー画面を圧縮して圧縮されたキャプチャー画面をユーザ端末の識別情報(例えば、接続番号)とともに通信部２２０を通じてウェブサーバに伝送することができる。
【００７５】
通信部２２０は、処理部２１０の制御に基づいてキャプチャーされた画面及び識別情報をウェブサーバに伝送することができる。ここで、通信部２２０は、キャプチャーされた画面を、ＨＴＴＰを通じてウェブサーバに伝送することができる。
【００７６】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【符号の説明】
【００７７】
１００：管理者端末
２００：ユーザ端末
２１０：処理部
２２０：通信部
３００：認証サーバ
４００：ウェブサーバ
２２５：ファイアウォール
【図１】
0005461646.tif 000002
【図２】
0005461646.tif 000003
【図３】
0005461646.tif 000004
【図４】
0005461646.tif 000005
【図５】
0005461646.tif 000006
【図６】
0005461646.tif 000007
【図７】
0005461646.tif 000008
【図８】
0005461646.tif 000009
【図９】
0005461646.tif 000010
【図１０】
0005461646.tif 000011
【図１１】
0005461646.tif 000012